(57)【要約】【課題】踏み固められて圧雪やアイスバーンとなった氷雪を、割り砕いて取り除くための氷雪割り具に関し、針状刃先以外の部分が路面や氷雪に接触することが無く作業がスムーズに行え、確実に針状刃先を固定できるようにする。【解決手段】保持柄11の先端部の針状刃先12を固定する部分が垂直方向の板状であり、その保持柄11の板状の下端部に針状刃先12の底部が接当する倒立Ｌの字状の係合切欠きを設け、保持柄11の先端部の左右に一対の挟み板14，15を設け、挟み板14，15と保持柄11を通して締め付けるボルト16を設け、一対の挟み板14，15の下端部が針状刃先12の基部を挟み込む固定部14a，15aとした。【選択図】図４
0003115666.tif 000002
【実用新案登録請求の範囲】
【請求項１】
保持柄と、保持柄の一端に着脱可能に固定される一本の丸棒状の針状刃先とからなる氷雪割り具において、保持柄の先端部の針状刃先を固定する部分が垂直方向の板状であり、その保持柄の板状の下端部に針状刃先の底部が接当する倒立Ｌの字状の係合切欠きを設け、その係合切欠きの水平部分である水平係合切欠きの直下に針状刃先の基部が位置し、係合切欠きの垂直部分である垂直係合切欠きに針状刃先の底部が接当し、保持柄の先端部の左右に一対の挟み板を設け、挟み板と保持柄を通して締め付けるボルトを設け、一対の挟み板の下端部が針状刃先の基部を挟み込む固定部とした氷雪割り具の針状刃先固定構造。
【請求項２】
一対の挟み板の固定部が、少なくとも内方の下端部が互いに接近する傾斜面とした請求項１記載の氷雪割り具の針状刃先固定構造。
【考案の詳細な説明】
【技術分野】
【０００１】
本考案は、玄関先などに降り積もり、踏み固められて圧雪やアイスバーンとなった氷雪を、割り砕いて取り除くための氷雪割り具に関する。
【背景技術】
【０００２】
積雪地帯では、玄関先や歩道，屋外駐車場などの通路に冬季間に降り積もった雪が足や車に踏み固められ、圧雪やアイスバーンとなった氷雪は春先まで残り、通路に残っているとその氷雪に足をとられ危険なため、割り砕いて取り除くことが行われる。
【０００３】
従来、一般的に行われている氷雪を割り砕く作業には「つるはし」（ピッケル）が使用されている。「つるはし」はその重さを利用して打ち下ろし、氷雪を打ち砕くものであるが、「つるはし」の先端が氷雪で滑って足先に向かってきたり、打ち砕かれた氷雪片が四方に飛び散ったり、危険を伴う作業である。
【０００４】
さらに、「つるはし」は重いので、非力な婦女子や老人にはそれを使用して作業することすら不可能である。しかし、一般家庭ではそのような人が日中に家にいることが多く、そのような非力な人でも、安全に氷雪を割り砕く作業ができる道具が要望されている。
【０００５】
このような、非力な人でも安全に氷雪を割り砕く作業ができる道具として、本考案の出願人が実用新案登録第３１０１９９２号にて提案したように、両端部が互いに反対方向に曲がった管状の保持柄と、保持柄の一端に挿入され着脱可能に固定される針状刃先固定棒と、針状刃先固定棒に挿入され着脱可能に固定される一本の針状刃先とからなる氷雪割り具が知られている。
【０００６】
この氷雪割り具は、図８示すようなもので、尖った円錐形状の先端部32aを持つ一本の針状刃先32を路面と氷雪の間にほぼ水平に挿入することで、非力な婦女子や老人でも安全に作業ができるものである。また、針状刃先32を前後させるだけで、能率よく作業ができる。
【０００７】
この針状刃先32の固定構造は、管状の保持柄31と、保持柄31の一端に挿入され着脱可能に固定される針状刃先固定棒34と、針状刃先固定棒34に挿入され固定される一本の針状刃先32とからなる氷雪割り具30である。針状刃先32は、針状刃先固定棒34の先端部から挿入され、押しネジ34aにより固定され、針状刃先固定棒34の大径部34bが保持柄31の端面に接当し、保持柄31の先端部上方から挿入される押しネジ31aが針状刃先固定棒34の小径段部にはまり込み固定される。
【０００８】
この氷雪割り具30は、針状刃先固定棒34の大径部34bから針状刃先32側を徐々に小径となる傾斜面34cとし、傾斜面34cにより針状刃先固定棒34の大径部34bが路面や氷雪の凹凸に引っ掛かることが無いから、スムーズに氷雪を割り砕く作業ができるものである。
【特許文献１】実用新案登録第３１０１９９２号
【考案の開示】
【考案が解決しようとする課題】
【０００９】
上記の実用新案登録第３１０１９９２号に示される氷雪割り具は、管状の保持柄31と尖った円錐形状の先端部32aを持つ細い針状刃先32を固定するため、針状刃先固定棒34を介して固定していた。
【００１０】
その針状刃先固定棒34は、略円筒形状に機械加工で製作されるものであり、コストが高く、針状刃先固定棒34の大径部34bが路面や氷雪の凹凸に接触して針状刃先32を動かす抵抗となり、氷雪を割り砕く作業がスムーズに行えなかった。
【００１１】
また、保持柄31から挿入される押しネジ31aが針状刃先固定棒34の小径段部にはまり込み固定される構造となっているが、針状刃先固定棒34は押しネジ31aに押されて保持柄31の内周の下部に接し、針状刃先固定棒34の上部と保持柄31の内周の上部との間には僅かな隙間が生じることとなる。そのため、針状刃先32の先端部32aに不特定方向の力が何度も加わったとき、押しネジ31aが緩んで確実に針状刃先固定棒34が固定されないことがあった。
【００１２】
そこで本考案では、針状刃先以外の部分が路面や氷雪に接触することが無く作業がスムーズに行え、確実に針状刃先を固定でき、しかも安価に提供できる氷雪割り具の針状刃先固定構造を提供する事を目的とする。
【課題を解決するための手段】
【００１３】
請求項１の考案における氷雪割り具の針状刃先固定構造は、保持柄11と、保持柄11の一端に着脱可能に固定される一本の丸棒状の針状刃先12とからなる氷雪割り具10において、保持柄11の先端部の針状刃先12を固定する部分が垂直方向の板状であり、その保持柄11の板状の下端部に針状刃先12の底部12cが接当する倒立Ｌの字状の係合切欠き11a，11bを設け、その係合切欠き11a，11bの水平部分である水平係合切欠き11bの直下に針状刃先12の基部12bが位置し、係合切欠き11a，11bの垂直部分である垂直係合切欠き11aに針状刃先12の底部12cが接当し、保持柄11の先端部の左右に一対の挟み板14，15，24，25を設け、挟み板14，15，24，25と保持柄11を通して締め付けるボルト16を設け、一対の挟み板14，15，24，25の下端部が針状刃先12の基部12bを挟み込む固定部14a，15a，24a，25aとしたものである。
【００１４】
請求項２の考案における氷雪割り具の針状刃先固定構造は、一対の挟み板14，15の固定部14a，15aが、少なくとも内方の下端部が互いに接近する傾斜面としたものである。
【考案の効果】
【００１５】
請求項１の考案によれば、保持柄の先端部の針状刃先を固定する部分が垂直方向の板状であり、その保持柄の板状の下端部に針状刃先の底部が接当する倒立Ｌの字状の係合切欠きを設け、保持柄の先端部の左右に一対の挟み板を設け、一対の挟み板の下端部が針状刃先の基部を挟み込む固定部とし、一対の挟み板の下端部で針状刃先の基部を固定し針状刃先より下方に突出する部分が少ないから、針状刃先以外の部分が路面や氷雪に接触することが無く作業がスムーズに行える。
【００１６】
また、保持柄の板状の下端部に針状刃先の底部が接当する倒立Ｌの字状の係合切欠きを設け、その係合切欠きの水平部分である水平係合切欠きの直下に針状刃先の基部が位置し、係合切欠きの垂直部分である垂直係合切欠きに針状刃先の底部が接当し、保持柄の先端部の左右に一対の挟み板を設け、挟み板と保持柄を通して締め付けるボルトを設け、一対の挟み板の下端部が針状刃先の基部を挟み込む固定部とし、一対の挟み板と保持柄を通したボルトを締め付ける構造であるから、ネジが緩むことなく確実に針状刃先を固定できる。
【００１７】
また、保持柄の先端部の左右に一対の挟み板を設け、一対の挟み板の下端部が針状刃先の基部を挟み込む固定部とし、一対の挟み板は型で加工できるような工数のかからない加工となるから、安価に提供できる。
【００１８】
請求項２の考案によれば、一対の挟み板の固定部が、少なくとも内方の下端部が互いに接近する傾斜面とし、一対の挟み板を締め付けると針状刃先の基部が保持柄の係合切欠きに押し付けられるから、確実に針状刃先を固定できる。
【考案を実施するための最良の形態】
【００１９】
針状刃先以外の部分が路面や氷雪に接触することが無く作業がスムーズに行え、確実に針状刃先を固定でき、安価に提供するため、保持柄11の先端部の針状刃先12を固定する部分が垂直方向の板状であり、その保持柄11の板状の下端部に針状刃先12の底部12cが接当する倒立Ｌの字状の係合切欠き11a，11bを設け、その係合切欠き11a，11bの水平部分である水平係合切欠き11bの直下に針状刃先12の基部12bが位置し、係合切欠き11a，11bの垂直部分である垂直係合切欠き11aに針状刃先12の底部12cが接当し、保持柄11の先端部の左右に一対の挟み板14，15を設け、挟み板14，15と保持柄11を通して締め付けるボルト16を設け、一対の挟み板14，15の下端部が針状刃先12の基部12bを挟み込む固定部14a，15aとし、一対の挟み板14，15の固定部14a，15aが、少なくとも内方の下端部が互いに接近する傾斜面とした。
【実施例１】
【００２０】
以下、本考案の一実施例につき図面を参照して説明する。
【００２１】
図１に示すのは、路面１に強固に粘着した氷雪２の、路面１と氷雪２の間に針状刃先12をほぼ水平に挿入する状態の氷雪割り具10である。
【００２２】
氷雪割り具10には、両端部が互いに反対方向に約４５度の角度で曲がった細長い板状の保持柄11を設け、保持柄11は肉厚が６mm、幅が２２mmの鋼板で、全長が約１２５cmの長さの一端から約９cm及びもう一端から約１６cmの位置で幅方向に曲げて、或は鋼鈑を切り出して形成される。
【００２３】
使用時には板状の保持柄11は板面を垂直方向に向け、その中間部が路面１に対して約５０度に傾け、その上方の略水平となる長い方の端部には握り13がはめ込まれ、下方の略水平となる短い方のもう一端に針状刃先12が取り付けられる。
【００２４】
針状刃先12を着脱可能に固定する保持柄11の下方の先端部は、同様に板面を垂直方向に向け、その保持柄11の板状の下端部に針状刃先12の底部12cが接当する倒立Ｌの字状の係合切欠き11a，11bを設け、その係合切欠き11a，11bの水平部分を水平係合切欠き11b、係合切欠き11a，11bの垂直部分を垂直係合切欠き11aとする。
【００２５】
保持柄11の水平係合切欠き11bの上には２個の取付孔11cを水平係合切欠き11bと平行に設ける。
【００２６】
針状刃先12は、直径約６mmの焼入れした丸鋼棒で形成され、その長さは約１６cmとし、その基部12bの約６cmが保持柄11の係合切欠き11a，11bに固定され、その先端部12aは氷雪２に突き刺すために尖っており、その先端部12aから約３cmの間に渡る円錐形状とした。
【００２７】
針状刃先12の基部12bは水平係合切欠き11bの直下に位置し、針状刃先12の基部12bの円形端面である底部12cは垂直係合切欠き11aに接当する。
【００２８】
保持柄11の先端部の左右に一対の挟み板14，15を設ける。挟み板14，15は、高さ約２５mm、幅が約６０mm、厚さ約２mmの略方形の鋼鈑で形成され、その長手方向に２個の取付孔14b，15bを設ける。挟み板14，15は、型を用いて鋼版を打ち抜く方法などで加工される。
【００２９】
その挟み板14，15の下端部が針状刃先12の基部12bを挟み込む固定部14a，15aであり、固定部14a，15aは挟み板14，15の下端から約５mmの位置から内方に約３０度の角度に曲がっており、２枚合わせの挟み板14，15では内方の下端部が互いに接近する傾斜面となる。
【００３０】
挟み板14，15の取付孔14b，15bと保持柄11の取付孔11cを通して締め付ける２本のボルト16を設け、ボルト16の先端にナット17をはめ込み締め付ける。ボルト16を締め付けた状態で、挟み板14，15はその上端のみが保持柄11に接し、その下部は締め代として僅かな隙間が開くようにする。
【００３１】
挟み板14，15をボルト16とナット17で締め付けると、針状刃先12の基部12bが挟み板14，15の固定部14a，15aの内方傾斜面により保持柄11の水平係合切欠き11bに押し付けられる。
【実施例２】
【００３２】
図７に示すのは、別な実施例であり、挟み板14，15を別な挟み板24，25としたもので、他の部分は先の実施例と同じであり、以下異なる部分のみ説明する。
【００３３】
挟み板24，25の下端部が針状刃先12の基部12bを挟み込む固定部24a，25aであり、固定部24a，25aは針状刃先12の基部12bに合わせたアール形状とし、挟み板24，25の上端内側に締め代を生じさせる僅かな突起を設けている。
【００３４】
挟み板24，25は、焼結、鍛造、ロストワックスなどの方法により、型を用いて加工される。
【００３５】
以上の実施例では、保持柄11全体が垂直方向の板状で構成した例を示したが、保持柄11の先端部の針状刃先12を固定する部分が垂直方向の板状であれば良く、保持柄を管状材で構成し先端部のみを垂直方向の板状としても良い。
【００３６】
また、一対の挟み板14，15，24，25が保持柄11と着脱可能に固定される例を示したが、一方の挟み板は保持柄11に溶着などにより着脱不能に固定しても良い。その場合着脱可能に固定される側の挟み板のみと保持柄11を通してボルト16で締め付けるようにしても良い。
【００３７】
また、挟み板14，15，24，25を２本のボルト16で締め付ける例を示したが、ボルト16を１本とし挟み板14，15，24，25が保持柄11に対して回り止めされるようにしても良い。
【図面の簡単な説明】
【００３８】
【図１】氷雪割り具の針状刃先固定構造の一実施例に係る側面図である。
【図２】図１の要部を示す部分拡大図である。
【図３】図２のＡ矢視図である。
【図４】図３のＢ矢視図である。
【図５】図３の挟み板を外したＣ矢視図である。
【図６】挟み板の正面図であり、（ａ）は一方の挟み板、（ｂ）はもう一方の挟み板である。
【図７】図４の別な実施例を示す図である。
【図８】従来の氷雪割り具の部分側面図である。
【符号の説明】
【００３９】
10  氷雪割り具
11  保持柄
11a  垂直係合切欠き
11b  水平係合切欠き
12  針状刃先
12b  基部
12c  底部
14  挟み板
14a  固定部
15  挟み板
15a  固定部
16  ボルト
24  挟み板
24a  固定部
25  挟み板
25a  固定部
【図１】
0003115666.tif 000003
【図２】
0003115666.tif 000004
【図３】
0003115666.tif 000005
【図４】
0003115666.tif 000006
【図５】
0003115666.tif 000007
【図６】
0003115666.tif 000008
【図７】
0003115666.tif 000009
【図８】
0003115666.tif 000010